(57)【要約】【課題】記録材料出口近傍のガイド部材が結露しても記録紙の搬送不良が発生することを防止できる画像記録装置を提供する。【解決手段】この画像記録装置は、記録紙をドラムの外周面に巻き付けて記録紙に露光を行ってから記録紙を出口へと搬送する露光ユニットを備え、出口に記録紙Ｓを導くようにガイドするためのガイド部材５４を配置し、記録紙とガイド部材との接触面積を少なくするようにガイド部材の表面に凹凸部を設けた。【選択図】  図３
2004315205.tif 000002
【特許請求の範囲】
【請求項１】
シート状の記録材料をドラムの外周面に巻き付けて前記記録材料に露光を行ってから前記記録材料を出口へと搬送する露光ユニットを備える画像記録装置であって、
前記露光ユニットの出口に前記シート状の記録材料を導くようにガイドするためのガイド部材を備え、
前記シート状の記録材料と前記ガイド部材との接触面積を少なくするように前記ガイド部材の表面に凹凸部を設けたことを特徴とする画像記録装置。
【請求項２】
前記シート状の記録材料を前記ドラムの外周面に吸着するために前記ドラム内部を吸引し負圧にする吸引手段を更に備えることを特徴とする請求項１に記載の画像記録装置。
【請求項３】
前記出口を開閉するために前記出口近傍に設けられたシャッタを更に備えることを特徴とする請求項１または２に記載の画像記録装置。
【請求項４】
前記出口を通して搬送された前記露光後の記録材料を現像処理する現像ユニットが前記露光ユニットに接続されていることを特徴とする請求項１，２または３に記載の画像記録装置。
【請求項５】
前記凹凸部は前記ガイド部材表面のほぼ全面に規則的に形成されていることを特徴とする請求項１乃至４のいずれか１項に記載の画像記録装置。
【請求項６】
前記凹凸部は、前記ガイド部材表面において前記シート状の記録材料の搬送方向に延びた長円形状の凸部を前記搬送方向に略直交する方向及び前記搬送方向に規則的に並べることで形成されていることを特徴とする請求項１乃至５のいずれか１項に記載の画像記録装置。
【請求項７】
前記長円形状の凸部は、５乃至１２ｍｍの範囲内の長径、３乃至６ｍｍの範囲内の短径、及び０．３乃至０．８ｍｍの範囲内の高さを有し、前記搬送方向に略直交する方向に３乃至１２ｍｍの範囲内のピッチで並びかつ前記搬送方向に４乃至１７ｍｍの範囲内のピッチで並んでいることを特徴とする請求項６に記載の画像記録装置。
【請求項８】
前記長円形状の凸部は、前記ガイド部材表面において千鳥状に配列されており、５乃至１２ｍｍの範囲内の長径、３乃至６ｍｍの範囲内の短径、及び０．３乃至０．８ｍｍの範囲内の高さを有し、前記搬送方向に略直交する方向に３乃至７ｍｍの範囲内のピッチで並びかつ前記搬送方向に４乃至１２ｍｍの範囲内のピッチで並んでいることを特徴とする請求項６または７に記載の画像記録装置。
【請求項９】
前記長円形状の凸部は、前記ガイド部材表面において碁盤の目状に配列されており、５乃至１２ｍｍの範囲内の長径、３乃至６ｍｍの範囲内の短径、及び０．３乃至０．８ｍｍの範囲内の高さを有し、前記搬送方向に略直交する方向に３乃至１２ｍｍの範囲内のピッチで並びかつ前記搬送方向に６乃至１７ｍｍの範囲内のピッチで並んでいることを特徴とする請求項６または７に記載の画像記録装置。
【請求項１０】
前記凹凸部は、前記ガイド部材表面において前記シート状の記録材料の搬送方向に延びた細長形状の凸部を前記搬送方向に略直交する方向に規則的に並べることで形成されていることを特徴とする請求項１乃至５のいずれか１項に記載の画像記録装置。
【請求項１１】
前記細長形状の凸部は、３乃至６ｍｍの範囲内の幅及び０．３乃至０．８ｍｍの範囲内の高さを有し、
前記凸部が前記搬送方向に略直交する方向に５乃至１２ｍｍの範囲内のピッチで並んでいることを特徴とする請求項１０に記載の画像記録装置。
【発明の詳細な説明】
【０００１】
【発明の属する技術分野】
本発明は、シート状の記録材料に画像記録を行う画像記録装置に関する。
【０００２】
【従来の技術】
従来、露光ユニットでドラム上の記録材料にレーザ光やＬＥＤ光で露光し、続いて現像ユニットで現像処理し画像記録を行う画像記録装置が公知である（例えば、下記特許文献１参照）。露光ユニットではドラムの外周面に孔を設け、ブロワに接続し、ドラム内部を負圧にしてドラムの外周面に記録紙を吸着する。この場合、ブロワの排気風を機外に排出しているため、露光ユニットの装置内部は負圧状態となる。
【０００３】
露光ユニットから現像ユニットへシート状にカットされた記録材料を搬送するために露光ユニット側にガイド板が設けられている。また、露光ユニットと現像ユニットとの連結部分には現像ユニットの機内雰囲気が露光ユニット側に侵入しないようシャッタが設けられ、記録紙が連結部分を通過中を除きシャッタは閉じられている。
【０００４】
露光ユニットにおいて連続して露光動作を行うと、露光後の記録紙が連結部分を通過中のためシャッタが開いているときに、露光ユニットは次の記録紙の露光動作に入るが、その際に、記録紙を回転ドラムに吸着させるためのブロワが作動し、ドラム表面の吸引孔から多量の機内空気が吸引され機外へ排出される。露光する記録材料が大サイズの場合はドラム表面の吸引孔は記録紙により塞がれるが、小サイズの場合は多数の吸引孔が露出したままになるので、露光のため記録紙をを回転ドラムに巻き付けている間に、多量の空気が吸引されることになる。以上のような連続露光中には、シャッタが開いていることと、ブロワによる吸引のため、現像ユニットの機内雰囲気が露光ユニットへ侵入することがある。
【０００５】
現像ユニットの機内雰囲気は加温された処理液の蒸発のため湿度が高い。一方、冬季など気温の低いときには露光ユニット内の連結部のガイド板が冷えていることがある。このような場合に現像ユニットの機内雰囲気が露光ユニットに侵入すると、低温の搬送用ガイド板表面に結露することがある。結露が発生するとその水滴により、搬送中の記録紙が搬送用ガイド板表面に貼り付いてしまい、記録紙の搬送不良が発生し易くなる。
【０００６】
現像ユニット側からの空気進入を抑えるために露光ユニットに送風ファンを設けることが下記特許文献２に提案されているが、現像ユニット側からの空気進入を充分に抑えるために送風ファンの負荷を大きくしなければならず、またガイド板表面の温度によっては結露する場合があり、充分な結露対策となっていなかった。
【０００７】
【特許文献１】
特開２００１−２１５６２４公報
【０００８】
【特許文献２】
特開２００１−８３６７４公報
【０００９】
【発明が解決しようとする課題】
本発明は、上記従来技術の問題に鑑み、露光ユニット内部が負圧になって現像ユニット側からの空気が入り込むことで記録材料出口近傍のガイド部材が結露しても記録紙の搬送不良が発生することを防止できる画像記録装置を提供することを目的とする。
【００１０】
【課題を解決するための手段】
上記目的を達成するために、本発明による画像記録装置は、シート状の記録材料をドラムの外周面に巻き付けて前記記録材料に露光を行ってから前記記録材料を出口へと搬送する露光ユニットを備える画像記録装置であって、前記露光ユニットの出口に前記シート状の記録材料を導くようにガイドするためのガイド部材を備え、前記シート状の記録材料と前記ガイド部材との接触面積を少なくするように前記ガイド部材の表面に凹凸部を設けたことを特徴とする。
【００１１】
この画像記録装置によれば、シート状の記録材料をガイド部材でガイドして出口に導くときに、ガイド部材の表面に設けた凹凸部によりシート状の記録材料とガイド部材との面接触を避け接触面積を少なくするので、ガイド部材の表面が結露してもシート状の記録材料がガイド部材の表面に貼り付くことを防止でき、記録材料の搬送不良発生を防止できる。
【００１２】
上記画像記録装置において前記シート状の記録材料を前記ドラムの外周面に吸着するために前記ドラム内部を吸引し負圧にする吸引手段を更に備えることで、シート状の記録材料をドラムの外周面に確実かつ正確に巻き付けることができる。また、前記出口を開閉するために前記出口近傍に設けられたシャッタを更に備えるようにできる。また、前記出口を通して搬送された前記露光後の記録材料を現像処理する現像ユニットが前記露光ユニットに接続されるように構成できる。
【００１３】
以上のように、ドラム内部を吸引し負圧にし、更にシャッタを開いたときに、比較的湿度の高い空気が現像ユニットから露光ユニットに流れ込んで結露しても、シート状の記録材料がガイド部材の表面に貼り付くことを防止できる。
【００１４】
また、前記凹凸部は前記ガイド部材表面のほぼ全面に規則的に形成されていることが好ましく、これにより、シート状の記録材料とガイド部材とが面接触ではなく、多数の点接触または線接触となるので、シート状の記録材料がガイド部材の表面に貼り付くことを防止できる。
【００１５】
また、前記凹凸部は、前記ガイド部材表面において前記シート状の記録材料の搬送方向に延びた長円形状の凸部を前記搬送方向に略直交する方向及び前記搬送方向に規則的に並べることで形成されていることが好ましい。この場合、前記長円形状の凸部は、５乃至１２ｍｍの範囲内の長径、３乃至６ｍｍの範囲内の短径、及び０．３乃至０．８ｍｍの範囲内の高さを有し、前記搬送方向に略直交する方向に３乃至１２ｍｍの範囲内のピッチで並びかつ前記搬送方向に４乃至１７ｍｍの範囲内のピッチで並んでいることが好ましい。
【００１６】
前記長円形状の凸部は、前記ガイド部材表面において千鳥状に配列されている場合（多数の凸部が搬送方向に略直交する方向に一列に並び、次の列では略直交する方向にピッチの半分程度ずれて並んでいる）、５乃至１２ｍｍの範囲内の長径、３乃至６ｍｍの範囲内の短径、及び０．３乃至０．８ｍｍの範囲内の高さを有し、前記凸部が前記搬送方向に略直交する方向に３乃至７ｍｍの範囲内のピッチで並びかつ前記搬送方向に４乃至１２ｍｍの範囲内のピッチで並んでいることが好ましい。
【００１７】
また、前記長円形状の凸部は、前記ガイド部材表面において碁盤の目状に配列されている場合（多数の凸部が搬送方向及び搬送方向に略直交する方向にそれぞれ直線状に並んでいる）、５乃至１２ｍｍの範囲内の長径、３乃至６ｍｍの範囲内の短径、及び０．３乃至０．８ｍｍの範囲内の高さを有し、前記凸部が前記搬送方向に略直交する方向に３乃至１２ｍｍの範囲内のピッチで並びかつ前記搬送方向に６乃至１７ｍｍの範囲内のピッチで並んでいることが好ましい。
【００１８】
または、前記凹凸部は、前記ガイド部材表面において前記シート状の記録材料の搬送方向に延びた細長形状の凸部を前記搬送方向に略直交する方向に規則的に並べることで形成されていることが好ましい。この場合、前記細長形状の凸部は、３乃至６ｍｍの範囲内の幅及び０．３乃至０．８ｍｍの範囲内の高さを有し、前記凸部が前記搬送方向に略直交する方向に５乃至１２ｍｍの範囲内のピッチで並んでいることが好ましい。なお、前記細長形状の凸部の搬送方向に長さは、前記ガイド部材の搬送方向長さと同程度が望ましい。
【００１９】
【発明の実施の形態】
以下、本発明による実施の形態について図面を用いて説明する。図１は本実施の形態による画像記録装置の内部を正面側から見た図である。図２は図１の画像記録装置のドラム及び光学ユニットを上部から見た要部平面図である。
【００２０】
図１に示すように、本実施の形態による画像記録装置１は、記録材料に露光し画像を形成する露光ユニット１１と、露光された記録材料を現像する現像ユニット２１と、を備える。露光ユニット１１は、内部にロール状に巻かれたシート状の記録材料である記録紙を収納した専用のカートリッジ１３を装填し収容する装填部１２，１２’と、装填部１２，１２’に装填されたカートリッジ１３から記録紙を給送する搬送ローラ対４０，４１，４２等からなる給送部１４と、給送部１４から給送された記録紙を外周面に真空吸引し保持しながら主走査のために回転方向Ｒに回転するドラム１０と、ドラム１０上の記録紙に対しＬＥＤ光やレーザ光等の光ビームを露光する光学ユニット１６と、光学ユニット１６を副走査のために副走査方向（図１の紙面垂直方向）に搬送する副走査部１７と、画像記録後のドラム上の記録紙を剥離する剥離部材１８ａと、剥離した記録紙を搬送ローラ対５３へと案内する案内部１５と、を備える。露光後の記録紙は出口１９及び接続部１９ａを通して現像ユニット２１へと搬送される。
【００２１】
図１の現像ユニット２１は、露光ユニット１１から送られた露光後の記録紙について湿式現像を行うもので、記録紙の現像処理を行う現像部２３と、定着処理を行う定着部２４と、安定処理を行う安定部２５と、乾燥処理を行う乾燥部２６と、乾燥された記録紙を搬送ローラ対２７ａ等で外部に排出する排出部２７と、を備える。
【００２２】
図２のように、画像記録装置１のドラム１０は、回転軸部１４’の回転軸１４ａ及び回転軸部１８の回転軸１５ａが軸受３３ａ、３３ｂを介して支持台３４ａ、３４ｂに回転可能に軸支されている。ドラム１０の一方の回転軸１５ａには、駆動プーリ３５ａが設けられ、この駆動プーリ３５ａはドラム回転モータＭ６の出力プーリ３５ｂとベルト３６により連結され、ドラム回転モータＭ６の駆動によりドラム１０が回転する。また、ドラム１０の回転軸１５ａには、ロータリーエンコーダ３７が設けられ、回転パルスを出力してドラム回転に同期した画素クロック制御に用いる。
【００２３】
ドラム１０の他方の回転軸１４ａは吸引ブロアＰ１に連結されている。ドラム１０の表面には吸着孔３１ｃが回転軸方向に直線状に延びて多数形成されており、吸引ブロアＰ１の駆動によりドラム１０の内部が減圧されて記録紙がドラム１０の表面に吸着される。
【００２４】
光学ユニット１６は、副走査部１７によりドラム軸と平行に移動可能に構成され、デジタル画像信号を受けてドラム１０に吸着された記録紙に光ビームで露光して画像の書き込みを行う。図４に示すように、光学ユニット１６には、３波長の光源、例えばＢ、Ｇ、Ｒ用の光源としてＬＥＤユニット３２０、ＬＥＤユニット３２１、ＬＥＤユニット３２２が配置されている。各ＬＥＤユニット３２０，３２１，３２２からの光ビームは、ミラー３２５、３２６、３２７を介して、集光レンズ３３１からドラム１０上の記録紙に画像を露光する。露光シャッタ３３２は露光ソレノイド３３３により開閉することで、露光開始／終了時に光路の開閉を行なう。
【００２５】
光学ユニット１６は、移動ベルト３４０に固定され、一対のガイドレール３４１、３４２に案内されてドラム軸と平行方向に移動可能に設けられている。移動ベルト３４０は一対のプーリ３４３、３４４に掛け渡され、一方のプーリ３４４は副走査モータＭ７の出力軸３４５に連結され、副走査モータＭ７の駆動により光学ユニット１６がドラム軸と平行に移動する。
【００２６】
図２に示すように、吸引ブロアＰ１は空気吸引ポンプにより吸引連結管５１を通してドラム１０内を吸引し、露光ユニット１１による露光開始前にドラム１０内を負圧にし記録紙を外周面に吸着する。
【００２７】
また、図１の破線で示すように、装置筐体１１ａの背面側には装置内部の温度上昇を防ぎまた吸引ブロアＰ１の作動時に装置内部を正圧にするために装置外部の空気を取り込むファン１１ｂが設けられており、装置電源をオンにすると、ファン１１ｂが作動する。
【００２８】
次に、図１の画像記録装置１の出口１９及びその近傍のガイド部材等の構成を図３を参照して説明する。図３は図１の出口及びその近傍のガイド部材を拡大して示す要部正面図である。
【００２９】
図３に示すように、画像記録装置１の出口１９の近傍には、案内部１５で案内され搬送ローラ対５３で搬送された記録紙Ｓを搬送方向Ｈに出口１９へと案内するガイド部材５４と、ガイド部材５４の下流側と出口１９との間に配置されたシャッタ板５５と、が設けられている。ガイド部材５４は、記録紙の上面側を案内する上ガイド５４ａと、下面側を案内する下ガイド５４ｂと、を有する。
【００３０】
また、上ガイド５４ａの近傍には記録紙Ｓの先端を検出する反射型の光センサ等からなる検出センサ６０が記録紙Ｓに対し非接触的に設けられている。
【００３１】
シャッタ板５５は、検出センサ６０が記録紙Ｓの先端を検出すると、モータ５７によるアーム５６の駆動で図３の上方向Ｖに持ち上げられることによりガイド部材５４の下流側を開き、また、逆に動作し下ガイド５４ｂまで下降することで閉じる。
【００３２】
図４に図３のガイド部材５４の表面（記録紙Ｓに接する面）の平面図（ａ）及び側面図（ｂ）を示す。
【００３３】
図４（ａ）、（ｂ）に示すように、ガイド部材５４の表面（記録紙Ｓに接する面）は、ほぼ全面に渡って多数の凸部６１が設けられており、これにより凹凸部が形成されている。各凸部６１は記録紙の搬送方向Ｈに延びた長円形状の平面形状を有し、長径ｍが５乃至１２ｍｍの範囲内であり、短径ｎが３乃至６ｍｍの範囲内であり（但し、ｍ＞ｎ）、高さｈが０．３乃至０．８ｍｍの範囲内であることが好ましく、例えば、長径ｍが７．５ｍｍ、短径ｎが３．７ｍｍ、高さｈが０．４ｍｍである。
【００３４】
図４（ａ）のように、多数の凸部６１を搬送方向Ｈに略直交する方向及び搬送方向Ｈに規則的に並べており、凸部６１は、千鳥状に並んでおり、好ましくは搬送方向Ｈに略直交する方向に３乃至７ｍｍの範囲内のピッチＰ１で並びかつ搬送方向Ｈに４乃至１２ｍｍの範囲内のピッチＰ２で並んでいる。
【００３５】
図４（ａ）、（ｂ）のような多数の凸部６１は上ガイド５４ａ及び下ガイド５４ｂの両方の表面（記録紙Ｓに接する面）のほぼ全面に渡って形成されている。上ガイド５４ａ及び下ガイド５４ｂはステンレス鋼等の金属材料から構成され、多数の凸部６１はステンレス鋼等に例えばエンボス加工を行うことで形成することができる。また、上ガイド５４ａ及び下ガイド５４ｂの板厚は０．７乃至１．０ｍｍ程度が好ましい。
【００３６】
また、上記長円形状の多数の凸部６１は図６に示すように碁盤の目状に並べてもよい。即ち、図のように搬送方向Ｈ及び搬送方向Ｈに略直交する方向に縦横ともに直線状に並べ、この場合、搬送方向Ｈに略直交する方向に３乃至１２ｍｍの範囲内のピッチＰ１で並びかつ搬送方向Ｈに６乃至１７ｍｍの範囲内のピッチＰ２で並べることが好ましい。
【００３７】
次に、図１乃至図４の画像記録装置１の動作を説明する。まず、図１、図２の露光ユニット１１において、装填部１２または１２’のカートリッジ１３から記録紙を給送部１４を通してドラム１０に給送し、記録紙をカッタ１０ａで切断し、吸引ブロアＰ１を作動させドラム１０の内部を負圧にし、記録紙をドラム１０の外周面に真空吸引し保持し、光学ユニット１６から光ビームをドラム１０上の記録紙に対し露光する。この露光時にドラム１０を回転方向Ｒに回転させて主走査し、光学ユニット１６を副走査部１７で副走査することで、記録紙に画像記録を行う。画像記録後、剥離部材１８ａがドラム１０に接近し記録紙をドラム１０から剥離した後、記録紙を案内部１５に導く。
【００３８】
図３のように、案内部１５から搬送ローラ対５３により記録紙Ｓがガイド部材５４で案内されながら搬送され搬送ローラ対５３を通過すると直ぐに記録紙Ｓの先端を検出センサ６０が検出し、この検出タイミングに合わせてシャッタ板５５が持ち上げられることによりガイド部材５４の下流側が開き、記録紙Ｓが出口１９へと送られ、更に現像ユニット２１との間の接続部１９ａに送られる。
【００３９】
次に、現像ユニット２１では、出口１９から接続部１９ａを通して送られてきた露光後の記録紙について現像部２３、定着部２４、安定部２５、乾燥部２６で各処理を行い、画像記録がされた記録紙を搬送ローラ対２７ａ等により排出部２７から装置外部の記録紙受部２８へと排出する。
【００４０】
上述のような画像記録において、記録紙がドラム１０に巻き付けられ吸引ブロワＰ１の吸引が開始されても図３のシャッタ板５５がガイド部材５４の下流側を閉じているときは、シャッタ板５５が抵抗となり現像ユニット２１側からの接続部１９ａを介した空気の吸い込み量は僅かであり、ガイド部材５４における結露の問題は殆ど生じない。これに対し、シャッタ板５５が開き記録紙Ｓが出口１９，接続部１９ａを通して現像ユニット２１へ搬送されている途中で、次の露光動作のために吸引ブロアＰ１がドラム１０内部を吸引し始めると、ファン１１ｂの作動にも関わらず装置内部が負圧状態となる場合があり、このため、出口１９及び開のシャッタ板５５を通して現像ユニット２１側から比較的湿度の高い空気が露光ユニット内に入り込んでしまうことでガイド部材５４に結露が発生しても、ガイド部材５４の表面に設けた多数の凸部６１による凹凸部で記録紙Ｓとガイド部材５４の表面との面接触を避けることができ、接触面積を少なくするので、記録紙がガイド部材５４の表面に貼り付くことを防止でき、記録紙Ｓの搬送不良発生を未然に防止できる。
【００４１】
記録紙の貼り付き現象は、結露により水滴の付いたガイド部材５４の表面と記録紙とが面接触することにより発生するのであるが、ガイド部材５４の表面を多数の凸部６１により凹凸形状にすることにより面接触ではなく多数の点接触または線接触とすることで、記録紙のガイド部材５４の表面への貼り付きを効果的に防止できるのである。
【００４２】
以上のように、ガイド部材５４に結露が発生した場合でも、記録紙の貼り付きによる搬送トラブルを防ぐことができるので、吸引ブロアＰ１が作動したとき露光ユニット２１内を正圧にするためにファン１１ｂの容量を大きくしたり、ファンの数を増やす必要がなく、また、結露を防ぐためにガイド部材をヒータで加熱したり、ガイド部材にファンで送風することが考えられるが、かかる部品を追加する必要もないので、大型化に繋がらず、部品コストもかからない。
【００４３】
なお、図３では、記録紙Ｓが乳剤面を図の上にしてガイド部材５４で搬送される場合には、乳剤面側の方が結露でガイド部材５４の表面により貼り付き易いので、上ガイド５４ａの表面にのみ凹凸部を設けるようにしてもよい。このように、搬送される記録紙Ｓの表面状態等を考慮して上ガイド５４ａまたは下ガイド５４ｂの一方のみに凹凸部を設けるようにしてもよい。
【００４４】
以上のように本発明を実施の形態により説明したが、本発明はこれらに限定されるものではなく、本発明の技術的思想の範囲内で各種の変形が可能である。例えば、図４の凹凸部の形状は、例えば、図５（ａ）、（ｂ）のように形成してもよい。即ち、ガイド部材５４の表面に記録紙の搬送方向Ｈに延びた細長形状の多数の凸部６２を搬送方向Ｈに略直交する方向に好ましくは５乃至１２ｍｍの範囲内のピッチＰ３で規則的に並べることで凹凸部を形成してもよい。細長形状の凸部６１は、幅ｗが３乃至６ｍｍの範囲内であり、高さｈが０．３乃至０．８ｍｍの範囲内であることが好ましく、例えば、幅ｗが３．７ｍｍ、高さｈが０．４ｍｍである。各凸部６２の搬送方向Ｈの長さは、ガイド部材５４の搬送方向長さと同程度が望ましい。図５（ａ）、（ｂ）の凹凸部により、ガイド部材５４の表面と記録紙との接触面積を小さくできるので、結露時の記録紙の貼り付き防止効果を得ることができる。
【００４５】
また、図４，図５のガイド部材５４の表面に、フッ素樹脂コーティングを施すことで、撥水性及び記録紙との間の摺動性を向上させるようにしてもよい。このため、例えば、テフロン（商品名）による塗膜をガイド部材５４の表面に形成する。
【００４６】
また、ガイド部材における凹凸部の形状は、図４〜図６のように、多数の凸部をガイド部材５４の表面側に突き出るようにして形成されているが、ガイド部材５４の表面に凸部と凹部とを搬送方向Ｈ及び搬送方向Ｈに略直交する方向に互い違いに形成するようにしてもよい。
【００４７】
【発明の効果】
本発明の画像記録装置によれば、例えば露光ユニット内部が負圧になって現像ユニット等の外部から空気が入り込むことで、記録材料出口近傍のガイド部材が結露してもシート状の記録材料がガイド部材の表面に貼り付くことを防ぐことができ、記録材料の搬送不良が発生することを防止できる。
【図面の簡単な説明】
【図１】本実施の形態による画像記録装置の内部を正面側から見た図である。
【図２】図１の画像記録装置のドラム及び光学ユニットを上部から見た要部平面図である。
【図３】図１の画像記録装置の出口及びその近傍のガイド部材を拡大して示す要部正面図である。
【図４】図３のガイド部材の表面（記録紙Ｓに接する面）の平面図（ａ）及び側面図（ｂ）である。
【図５】図４のガイド部材の変形例を説明するための図４と同様の平面図（ａ）及び側面図（ｂ）である。
【図６】図３、図４のガイド部材の表面に形成した多数の凸部を碁盤の目状に配列した場合のガイド部材の表面（記録紙Ｓに接する面）の平面図である。
【符号の説明】
１・・・画像記録装置
１０・・・ドラム
１１・・・露光ユニット
１９・・・出口
１９ａ・・・接続口
２１・・・現像ユニット
５４・・・ガイド部材
５４ａ・・・上ガイド
５４ｂ・・・下ガイド
５５・・・シャッタ板
６１，６２・・・凸部（凹凸部）
Ｐ１・・・吸引ブロア
Ｓ・・・記録紙（シート状の記録材料）
【図１】
2004315205.tif 000003
【図２】
2004315205.tif 000004
【図３】
2004315205.tif 000005
【図４】
2004315205.tif 000006
【図５】
2004315205.tif 000007
【図６】
2004315205.tif 000008